(57)【要約】【課題】低出力の掃除機でも集塵性能が高く、水洗いした際に衛生的な電気掃除機の寝具用吸込具を提供する。【解決手段】下部に開口部が設けられている上ケースと、前記開口部における前部と後部にそれぞれ取り付けられるカバー部材と、を有し、前記カバー部材に複数の穴を設けた。【選択図】図２
2016022084.tif 000002
【特許請求の範囲】
【請求項１】
下部に開口部が設けられている上ケースと、前記開口部における前部と後部にそれぞれ取り付けられるカバー部材と、を有し、前記カバー部材に複数の穴を設けたことを特徴とする電気掃除機の寝具用吸込具。
【請求項２】
請求項１に記載の電気掃除機の寝具用吸込具において、
前記２つのカバー部材の間に、複数の突起を有する回転ローラを設けたことを特徴とする電気掃除機の寝具用吸込具。
【発明の詳細な説明】
【技術分野】
【０００１】
本発明は電気掃除機に関する。
【背景技術】
【０００２】
一般的な電気掃除機は、対象物に応じて吸口を交換し掃除することが可能な構成である。特に布団を掃除する際は、対象物が柔らかいことやごみをシーツ下などから吸い出す必要があること、また衛生上の観点からも専用の吸口を使用することが多い。しかし、布団を掃除するためには柔らかい布団の上で操作力を低減することと吸引性能を両立させる必要があり、通常の床用吸口とは異なった構成をとることになる。
【０００３】
従来技術としては、以下に示す特許文献１に記載の技術が知られている。
【０００４】
特許文献１には、上吸込具と、この上吸込具に下方より取り着けられ、前後方向の略中央部の横幅ほぼ一杯に吸込口を形成した下吸込具と、前記上吸込具に一体形成された接続管と、前記下吸込具の吸込口前後に半円柱状で中空状の押え部材により構成し、清掃作業が簡単で布団への傷つきをなくするとともに、吸い込み性能の向上を図ることができる寝具用吸込具が記載されている。
【先行技術文献】
【特許文献】
【０００５】
【特許文献１】特開平５−８４１７８号公報
【発明の概要】
【発明が解決しようとする課題】
【０００６】
しかしながら一般家庭で使用する寝具用吸込具としては、ゴミが良く吸えることに加え、寝具を掃除するため衛生的であることが重要となる。特許文献１に記載の発明では、開口部が中央部のみにしかないため、吸口の面積に対し掃除できる範囲が狭く、また水洗いをすると内部に入った水が抜けにくく非衛生的となる恐れがある。更に、特許文献１に記載の発明のように吸引力のみで布団を掃除するには接続する本体の吸引力も大きい必要があり、例えば充電式掃除機のような本体では充分にごみが吸えない恐れがある。
【０００７】
本発明の目的は、低出力の掃除機でも集塵性能が高く、水洗いした際に衛生的な電気掃除機の寝具用吸込具を提供することにある。
【課題を解決するための手段】
【０００８】
上記目的を達成するために、本発明の電気掃除機の寝具用吸込具によれば、下部に開口部が設けられている上ケースと、前記開口部における前部と後部にそれぞれ取り付けられるカバー部材と、を有し、前記カバー部材に複数の穴を設けたことを特徴とする。
【０００９】
更に、本発明の電気掃除機の寝具用吸込具によれば、２つのカバー部材の間に、複数の突起を有する回転ローラを設けたことを特徴とする。
【発明の効果】
【００１０】
下部に開口を有し、開口部の前後にカバー部材を有し、カバー部材に複数の穴を設けたことを特徴とする。これによって、下部から吸引する際に吸口全体を使って吸引することができ、更に水洗いした際には水抜きと乾燥に要する時間を短縮し、吸口内部を衛生的に保つことができる。
【００１１】
カバー部材の間に複数の突起を有する回転部材を設けたことを特徴とする。これによって、吸込具の往復動作時に回転部材が回転し、突起が布団表面を叩くことで布団を振動させ、内部のゴミを浮かび上がらせ吸引しやすくすることができる。
【図面の簡単な説明】
【００１２】
【図１】（Ａ）本発明の実施形態の吸込具の全体を示す外観斜視図である。（Ｂ）本発明の実施形態の吸込具の下方から見た外観斜視図である。
【図２】本発明の実施形態の吸込具の側面から見た中央断面図である。
【図３】本発明の実施形態の吸込具を充電式ハンディ掃除機に装着した外観斜視図である。
【図４】（Ａ）本発明の実施形態のハンディ本体の外観斜視図である。（Ｂ）本発明の実施形態のハンディ本体の後方から見た外観斜視図である。
【図５】本発明の実施形態のハンディ本体の側面から見た中央断面図である。
【図６】本発明の実施形態のハンディハンドルの外観斜視図である。
【図７】本発明の実施形態のダストケースの分解図である。
【図８】(Ａ) 本発明の実施形態のサイクロンケースの外観斜視分解図である。（Ｂ）本発明の実施形態のサイクロンケースの後方から見た外観斜視分解図である。
【図９】(Ａ)(Ｂ)(Ｃ)本発明の実施形態のダストケース内部の空気の流れである。
【図１０】本発明の実施形態のハンディ状態での使用例である。
【発明を実施するための形態】
【００１３】
以下、本発明の代表的な実施形態について図面を適宜参照して詳細に説明する。但し、本発明は以下の実施形態に限定されるものではない。
（吸込具の構成）
図１（Ａ）に本発明の実施形態の吸込具１の外観斜視図を示す。図１（Ｂ）に吸込具１の下方斜視図、図２に吸込具１の側面から見た中央断面図を示す。
【００１４】
本実施形態の吸込具１は、上ケース２と、継手３と、カバー部材５と、回転ローラ７と、を有する。吸込具１では、上ケース２の後方に継手３が回動自在に接続され、上ケース２の下部には開口部４が設けられている。上ケースの２の床面に対する面積は、掃除動作を行う際の安定性と掃除効率を考慮すると大きいほうが好ましい。本実施形態では２００ｍｍ×６５４ｍｍとなっている。開口部４には、開口部４における前部と後部の両部にそれぞれカバー部材５が取り付けられている。このカバー部材５により開口部４の面積を絞ることになり、低風量の掃除機で大きな吸口体を用いても充分な吸引力を持たせることが可能となる。カバー部材５において、吸込具１に組み込んだ際に吸込具１の前端部および後端部になる側には斜面を設けるとよい。こうすることで布団を掃除する際に盛り上がった布団を吸込具１の下面へ呼び込みやすくなり、操作負荷を低減することができる。カバー部材５において、開口部側には大きくＲを設けることで、空気の流れをスムーズにし吸引性能の向上を図ることができる。また、カバー部材５には複数の穴６が設けられている。この穴６は、掃除の際は吸込み口となりごみを吸引する吸引穴として機能し、吸込具１を水洗いした後には水抜き穴および内部の換気穴として機能しお手入れ後の清潔性を保つことができる。この穴６はお手入れ性向上のために図示の１０箇所より多くても良いし、掃除対象への吸い付き力を上げるために１０箇所より少なくても良い。開口部３の中央（２つのカバー部材５の間）には回転ローラ７が設けられている。この回転ローラ７には複数の突起８を有し、回転することで掃除対象を叩く効果が得られる。布団を叩く効果を得るために、この突起８はカバー部材５の下端面より外側へ出ている構成とすることが望ましい。この回転ローラ７は実施形態では１本であるが、複数設けても良い。また、本実施形態では前後にカバー部材５、中央に回転ローラ７を配置しているがこの限りではない。例えば、回転ローラ７を前後の端部に設けても良い。
【００１５】
図３に本発明の実施形態の吸込具１を充電式ハンディ掃除機に装着した外観斜視図を示す。本実施形態の吸込具１はカバー部材５により開口部４を絞り、回転ローラ７および突起８のよるたたき効果でゴミを浮かばせるため、充電式掃除機のように低風量の掃除機で使用しても吸引力を確保することができる。もちろん、電源コードを備えたコード式電気掃除機に接続して使用してもよい。
（ハンディ本体の構成）
図４（Ａ）にハンディ本体１１の外観斜視図、図４（Ｂ）にハンディ本体１１の後方斜視図、図５にハンディ本体１１の側面から見た中央断面図、図６にダストケース１２をとりはずした状態のハンディハンドル１３の外観斜視図を示す。
【００１６】
ハンディ本体１１の後面にはハンディ端子１０４を備え、充電台からの蓄電池１８への充電ができる。
（ハンディハンドルの構成）
ハンディ本体１１は、塵埃をためるダストケース１２と、ハンディハンドル１３から構成されている。
【００１７】
ハンディハンドル１３の中央には、電動送風機１７が配置され、使用者が持つ取手部１０５の後方に蓄電池１８が配置されている。これにより、ダストケース１２を取り付けた際にハンディ本体１１全体の重心が取手部１０５に近くなり、ハンディ本体１１単体で持ちやすい。なお、蓄電池１８は電動送風機１７の周りを囲むように配置しても良いし、取手部１０５の後方と電動送風機１７の周り両方に配置してもよい。
【００１８】
電動送風機１７の周囲には、電動送風機１７を固定するための固定ケース１０９があり、電気掃除機本体１を制御する本体基板１１０は固定ケース１０９の上部に固定されている。ただし、蓄電池１８の配置によって、固定ケース１０９の後面や側面に本体基板１１０を設けても良い。
【００１９】
取手部１０５には、指固定凹部１０７を設けることが望ましい。指固定凹部１０７により、使用者が取手部１０５を把持した際、指が引っかかり、ハンディ本体１１がすべりにくくなる。
【００２０】
ハンディハンドル１３の前方には、本体ＬＥＤ１１１を備える。本体ＬＥＤ１１１は赤と緑の２色を点灯することができ、電気掃除機本体１の運転状態や蓄電池１８の充電状態の表示ができる。本体ＬＥＤ１１１の色数は１色や２色以上でもよく、点灯や点滅との組み合わせによって、蓄電池１８充電完了状態、電気掃除機本体１の運転エラー状態の表示や、意匠として点灯または点滅してもよい。
（保護フィルタ、保護フィルタカバーの構成）
ハンディハンドル１３に配置された電動送風機１７とダストケース１２とを区画形成する気密面１１２には、電動送風機１７とダストケース１２とを連通する吸込部１１３が設けられる。吸込部１１３の通気流路内には保護フィルタ１１４を備え、ダストケース１２を取り外した状態で運転してしまったときなどに、塵埃が電動送風機１７の内部へ侵入することを防止することができる。また、保護フィルタ１１４は汚れたときに清掃できるよう、ハンディハンドル１３から着脱自在で、水洗いできる素材で構成されていることが望ましい。保護フィルタ１１４は、保護フィルタカバー１１５Ａによってハンディハンドル１３に固定される。保護フィルタカバー１１５Ａは使用者の指が電動送風機に触れないよう指が入らない大きさの穴で構成された格子状であることが望ましい。
【００２１】
電動送風機１７の上流側には、ゴムなど弾性体シール部材で構成された気密ゴム１１６Ａを備え、気密ゴム１１６Ａの外周面には全周にわたり凸平板形状１１６Ｂを構成する。保護フィルタカバー１１５Ａの下流側は、傘形状１１５Ｂになっており、傘形状１１５Ｂの端面が気密ゴム１１６Ａの凸平板形状１１６Ｂと密着することにより、気密を確保することができる。
（排気口の構成）
ハンディハンドル１３の左右両側の側面には、排気口１０６を備え、内部には排気フィルタ（図示せず）を備える。排気口１０６は、ハンディ本体１１の長手方向に対し、略平行に沿う格子形状になっていることが望ましい。使用者が取手部１０５を持ってハンディ本体１１単体で使用している際、直接使用者に電動送風機の排気が当たらないという効果を奏する。また、ハンディ本体１１単体で使用する場合は、電気掃除機本体１の後面を下側に向けて使用または一時的に置くことになるが、誤ってハンディ本体１１の前方から水等の液体をこぼしてしまった場合でも、ハンディハンドル１３内部に液体が侵入することを防ぎ、電動送風機１７や蓄電池１８の故障を防止することができる。
（ダストケース着脱機構(Ｄクランプ) の構成）
ハンディハンドル１３にダストケース固定突起Ａ１１７、Ｂ１１８を備え、ダストケース１２にダストケースバネ１２０によって付勢されたダストケースクランプ１１９を備える。ダストケース固定突起Ｂ１１８をダストケース１２の後方の穴に差込み、回動させてダストケースクランプ１１９をダストケース固定突起Ａ１１７に引っ掛けることにより、ダストケース１２がハンディハンドル１３に固定される。
【００２２】
ハンディハンドル１３の前方には、ダストケースボタン１５を備える。ダストケースボタン１５を押下すると、ハンディハンドル１３内部に配置され、摺動棒バネ１２２によって付勢されている摺動棒１２１が下方に摺動し、ダストケースクランプ１１９を押し上げることにより、ダストケース固定突起Ａ１１７からはずすことができる。
【００２３】
ダストケースクランプ１１９を支えるダストケースクランプカバー１２５はダストケース１２から前側に膨らんだ略半楕円状に形成し、ハンディハンドル１６前面に同略半楕円形状で前側に膨らんだ形状のダストケース意匠ピース１２６を設けることにより、ダストケースクランプ１１９を形成しながら高い意匠性を得ることができる。
（集塵部全体の構成）
図７にダストケース１２の分解図、図８(Ａ) にサイクロンケース１２９の外観斜視分解図、図８(Ｂ) にサイクロンケース１２９の後方から見た外観斜視分解図、
図９（Ａ）にダストケース１２内部の大まかな空気の流れ、図９（Ｂ）にダストケース１２内部のサイクロン蓋つまみ１４９付近の空気の流れ、図９（Ｃ）にダストケース１２内部の半円形状１５０付近の空気の流れを示す。
【００２４】
ダストケース１２は、塵埃を集積するための集塵ケース１２８、旋回流を発生させるサイクロンケース１２９、波形にプリーツ加工されたプリーツフィルタ１３０から構成される。サイクロンケース１２９、プリーツフィルタ１３０はそれぞれ別々に集塵ケース１２８に対する摺動によって着脱自在になっており、使用者は取り外して清掃することができる。プリーツフィルタ１３０の上方には、使用者が集塵ケース１２８から取り外しやすいよう、フィルタつまみ１３１を設けることが望ましい。
【００２５】
サイクロンケース１２９は、塵埃を含む空気を旋回させて塵埃を分離する分離部１３２と、ケース部１３３から形成される。プリーツフィルタ１３０は摺動により、ケース部１３３へ着脱できる。
【００２６】
ダストケース１２の吸込口１０２から流入した塵埃を含む空気は、ハンディ入口管２１を通過し分離部１３２に流入する。分離部１３２の内筒１３５の外周面付近を流れる塵埃をほとんど含まない空気は、内筒１３５に設けた内筒貫通穴１３４から内筒１３５内部に流入し、プリーツフィルタ１３０を通り、電動送風機１７に流入する。分離部１３２の外周面付近を流れる塵埃を多く含む空気は、分離部１３２の外周面に設けた分離部排出口１３６から、集塵ケース１２８とケース部１０の外壁面によって構成される集塵空間１３７に流入し、ケース部１０Ｚに設けたメッシュフィルタ１３８を通ってケース部１０Ｚ内部で分離部１３２の内側の空気と合流し、プリーツフィルタ１３０を通り、電動送風機１７に流入する。
【００２７】
集塵空間１３７に流入した空気がメッシュフィルタ１３８を通って電動送風機１７に流入する構成にしたことにより、吸引力によって塵埃Ｊがメッシュフィルタ１３８に押し付けられ、塵埃を吸引できる量が増加する効果、また塵埃を圧縮することで塵埃が排出しやすいという効果を奏する。
【００２８】
集塵空間１３７に集積した塵埃は、サイクロンケース１２９とプリーツフィルタ１３０を取り外し、集塵ケース１２８を傾けて排出する。
【００２９】
分離部１３２の中心軸１３９はダストケース１２の左右方向の中心線に対し、分離部排出口１３６側に寄せて配置することが望ましい。これによりメッシュフィルタ１３８の面積を、より大きく形成することができる。
（気密構造）
プリーツフィルタ１３０のハンディハンドル１３側には、ゴムなどの弾性体シール部材で構成されプリーツフィルタ１３０の外周を囲うように略傘状に配置されたダストケースパッキンＡ１２３を備える。ダストケースパッキンＡ１２３の高さ方向の寸法は、ダストケースクランプ１１９によってダストケース１２がハンディハンドル１３に固定された際に、ダストケースパッキンＡ１２３の先端がハンディハンドル１３の気密面１１２に略１ｍｍ干渉する寸法になっている。これにより、ダストケース１２をハンディハンドル１３に装着した際にダストケースパッキンＡ１２３がつぶれ、ハンディハンドル１３の気密面１１２を介して電動送風機１７との気密を確保することができる。また、ダストケースパッキンＡ１２３を傘状に配置することによって、電気掃除機本体１を運転した際に吸引力によってダストケースパッキンＡ１２３が内側に引きつけられ、ハンディハンドル１３の気密面１１２に密着する方向に付勢され、より気密を確保しやすい。
【００３０】
また、プリーツフィルタ１３０の外周はゴムなどの弾性体シール部材で構成されたダストケースパッキンＢ１４０を備える。サイクロンケース１２９およびプリーツフィルタ１３０が集塵ケース１２８に押し込まれ、固定位置に装着されているときは、集塵ケース１２８の内壁にダストケースパッキンＢ１４０が密着し、気密を確保することができる。
【００３１】
フィルタつまみ１３０の高さ方向の寸法はダストケース１２がハンディハンドル１３に固定された際に、ハンディハンドル１３の気密面１１２とのギャップが略０ｍｍになる寸法になっている。これによって使用者がサイクロンケース１２９とプリーツフィルタ１３０を集塵ケース１２８に固定位置まで押し込まずに電気掃除機１を使用しようとした場合でも、ダストケース１２をハンディハンドル１３に固定する際にサイクロンケース１２９とプリーツフィルタ１３０が下方に付勢され、固定位置まで押し込むことができ、集塵ケース１２８とダストケースパッキンＢ１４０の気密を確保することができる。
（ハンディ吸込口）
集塵ケース１２８に内包するハンディ入口管２１には、ゴムなどの弾性体で構成された逆止弁１２４を備える。電気掃除機本体１の運転を止めた際にハンディ入口管２１に塵埃が残っていた場合でも、塵埃が逆流し、ハンディ吸込口１０２から塵埃が漏れることを防止できる。
【００３２】
図１０にハンディ本体１１の状態で運転している使用例を示す。
【００３３】
ハンディ吸込口１０２は、ハンディ入口管２１と一様でなく、電気掃除機本体１の前側に広げ、ハンディ吸込口１０２の前側端部が、集塵ケース１２８の前側外表面と略同等であることが望ましい。これによって、ハンディ吸込口１０２の全周に設けた気密保持リブ１０３とハンディ入口管２１の通路間に空間１２７を形成することができ、使用者がハンディ本体１１の状態で運転し、図１０ような狭い段差の清掃をする際でもハンディ吸込口１０２の空間１２７から塵埃を吸引することができる。
【００３４】
集塵ケース１２８の左右面には、ダストケースピース１４１を備える。これによって意匠性を高めることができる。また、ハンディ吸込口１０２の左右方向の短面は、ダストケースピース１４１の短面と略同等であることが望ましい。これによって塵埃を吸引できる範囲がダストケースピース１４１のない範囲と略同等となるため、使用者がハンディ本体１１の状態で運転し、塵埃を吸引する際に吸引できる範囲を視認でき、塵埃の取り残しなどを防止することができて使い勝手がよい。
（プリーツフィルタ）
プリーツフィルタ１３０は枠体内にプリーツ状に折られたフィルタ部材が形成される。フィルタ部材の波方向は縦方向(重力作用方向)であるのが望ましい。フィルタ部材は、例えば高密度のＨＥＰＡフィルタ（High Efficiency Particulate Air Filter）である。ＨＥＰＡフィルタとは、定格風量で粒径が０.３μｍの粒子に対して９９.９７％以上の粒子捕集率をもち、かつ初期圧力損失が２４５Ｐａ以下の性能を持つエアフィルタである。プリーツフィルタ１３０は使用者が水洗いできることが望ましい。
【００３５】
また、プリーツフィルタ１３０の前部にスポンジフィルタ１４２を設けてもよい。プリーツフィルタ１３０の枠体を前側に延長し、スポンジフィルタ１４２をはめ込めるように形成することが望ましい。スポンジフィルタ１４２は使用者が水洗いできることが望ましい。これによってプリーツフィルタ１３０が塵埃によって直接汚れにくくなり、お手入れ性が向上する。
（分離室）
サイクロンケース１２９の分離室１３２の前側は、略蓋状で着脱自在のサイクロン蓋１４３によって形成される。これによって円筒状の分離室１３２、内筒１３５、分離部排出口１３８を樹脂材料によって形成できるようになり、塵埃が分離貫通穴１３４に塵埃が引っかかったときに使用者がサイクロン蓋１４３を取り外して塵埃を取り除くことができる。
【００３６】
サイクロン蓋１４３の分離部排出口１３６前側には、分離部排出口１３６短面に沿った形状のごみすてライン１４４を設ける。これによって使用者に、集塵空間１３７に塵埃を過剰に集積し、分離部排出口１３６が塞がって塵埃が内筒貫通穴１３４に詰まってしまう前に塵埃を排出することを促すことができ、お手入れを容易にすることができる。
【００３７】
サイクロンケース１２９にはサイクロン蓋１４３を止めるための固定リブＡ１４５、固定リブＢ１４６を形成し、サイクロン蓋１４３には固定リブＡ１４５と固定リブＢ１４６が嵌合する略コの字型の固定溝１４７と固定穴１４８を形成する。これによってサイクロン蓋１４３は、略１０度サイクロンケース１２９より傾けてはめ込み、正規の位置である右回転方向に回動することによって、固定リブＡ１４５と固定溝１４７、及び固定リブＢ１４６と固定穴１４８がそれぞれ嵌合し、サイクロンケース１２９に固定することができる。
【００３８】
また、使用者がお手入れした後にサイクロン蓋１４３をサイクロンケース１２９へ装着する際、正規の固定位置まで回動しない状態でも、サイクロンケース１２９を集塵ケース１２８へ装着時に集塵ケース１２８の内側に設けた蓋付勢リブＡ１５４とサイクロン蓋１４３の前面のサイクロン蓋付勢リブＢ(図示せず)が当接することで、サイクロン蓋１４３を確実に正規の固定位置まで回動することができる。
【００３９】
サイクロン蓋１４３の前面には、集塵ケース１２８の内壁から略２ｍｍオフセットした形状のサイクロン蓋つまみ１４９を設ける。これによってサイクロン蓋１４３をサイクロンケース１２９へ着脱する際に使用者がつまみとして使用し、回動・着脱がしやすくなる。また、サイクロン蓋つまみ１４９は、分離部排出口１３６から集塵空間１３７に流れる塵埃を含んだ旋回流を塞き止める効果を奏し、流れＸのように集塵空間１３７内の塵埃が再び分離部排出口１３６から分離部１３２に逆流することを防ぎ、さらに分離部排出口１３６前側に設けたごみすてライン１４４の前部に塵埃が集積することを防ぐことができ、視認性を確保することができる。
【００４０】
サイクロン蓋１４３の分離部排出口１３６の旋回上流側開口縁には、サイクロン蓋１４３の板厚の略２倍以上の厚みの、分離壁１５０を設ける。これによって髪の毛などの細長い塵埃が、分離部１３２内を旋回する空気とメッシュフィルタ１３８側に流れる空気が引っ張り合うことで発生する、分離部排出口１３６の旋回上流側開口縁１５５に引っかかることを防ぎ、さらに集塵空間１３７内の塵埃が再び分離部排出口１３６から分離部１３２に流れＹのように逆流することを防ぐことができる。
【００４１】
さらにサイクロンケース１２９の分離部排出口１３６の下面開口縁に、集塵空間１３７方向に整流リブＡ１５１、サイクロン蓋１４３の分離壁１５０の端部に、集塵空間１３７方向に整流リブＢ１５２、集塵ケース１２８の集塵空間１３７内部の略中心集塵空間１３７内部方向に整流リブＣ１５３を設ける。これによって、集塵空間１３７内部を流れる空気が分離部１３２内部の旋回流の影響を受け、旋回流が乱れることで発生する分離部１３２への塵埃の逆流を抑制することができる。
【符号の説明】
【００４２】
１  吸込具
２  上ケース
３  継手
４  開口部
５  カバー部材
６  穴
７  回転ローラ
８  突起
１１  ハンディ本体
１２  ダストケース
１３  ハンディハンドル
１４  電源ボタン
１５  ダストケースボタン
１７  電動送風機
１８  蓄電池
２１  ハンディ入口管
１０２  ハンディ吸込口
１０３  ハンディ吸込口気密リブ
１０４  ハンディ端子
１０５  ハンディ取手部
１０６  排気口
１０７  指固定凹部
１０８  ハンディクランプバネ
１０９  電動送風機固定ケース
１１０  本体基板
１１１  本体ＬＥＤ
１１２  ハンディハンドル気密面
１１３  ハンディハンドル吸込部
１１４  保護フィルタ
１１５Ａ  保護フィルタカバー
１１５Ｂ  傘形状
１１６Ａ  気密ゴム
１１６Ｂ  凸平板形状
１１７  ダストケース固定突起Ａ
１１８  ダストケース固定突起Ｂ
１１９  ダストケースクランプ
１２０  ダストケースバネ
１２１  摺動棒
１２２  摺動棒バネ
１２３  ダストケースパッキンＡ
１２４  逆止弁
１２５  ダストケースクランプカバー
１２６  ダストケース意匠ピース
１２７  ハンディ吸込流路空間
１２８  集塵ケース
１２９  サイクロンケース
１３０  プリーツフィルタ
１３１  フィルタつまみ
１３２  分離部
１３３  ケース部
１３４  内筒貫通穴
１３５  内筒
１３６  分離部排出口
１３７  集塵空間
１３８  メッシュフィルタ
１３９  分離部中心軸
１４０  ダストケースパッキンＢ
１４１  ダストケースピース
１４２  スポンジフィルタ
１４３  サイクロン蓋
１４４  ごみすてライン
１４５  固定リブＡ
１４６  固定リブＢ
１４７  固定溝
１４８  固定穴
１４９  サイクロン蓋つまみ
１５０  分離壁
１５１  整流リブＡ
１５２  整流リブＢ
１５３  整流リブＣ
１５４  蓋付勢リブＡ
１５５  分離部開口縁
【図１】
2016022084.tif 000003
【図２】
2016022084.tif 000004
【図３】
2016022084.tif 000005
【図４】
2016022084.tif 000006
【図５】
2016022084.tif 000007
【図６】
2016022084.tif 000008
【図７】
2016022084.tif 000009
【図８】
2016022084.tif 000010
【図９】
2016022084.tif 000011
【図１０】
2016022084.tif 000012